(57)【要約】【目的】  本発明は、スピーカー用振動体の部品点数を低減する。【構成】  スピーカー用振動体１００は、コイルボビン１２０と、これに取り付けられたボイスコイル１３０と、一枚の薄板で構成された振動体本体１１０とを備えている。振動体本体１１０は、被固定部１１２、ダンパー部１１１、エッジ部１１４及び振動部１１３を有している。被固定部１１２は、薄板のコイルボビン１２０がＺ’方向側から固定される部分である。ダンパー部１１１は、薄板の被固定部１１２よりも内側の部分で構成されている。振動部１１３は、薄板の被固定部１１２よりも外側の部分で構成されている。内側は、薄板の中心側であり、外側は、薄板の反中心側である。エッジ部１１４は、薄板の振動部１１３よりも外側の部分で構成され且つ薄板の外周部を有している。【選択図】      図４Ａ
2020141319.tif 000002
【特許請求の範囲】
【請求項１】
コイルボビンと、
前記コイルボビンに取り付けられたボイスコイルと、
一枚の薄板で構成された振動体本体とを備えており、
前記振動体本体は、被固定部、ダンパー部、エッジ部及び振動部を有しており、
前記被固定部は、前記薄板の前記コイルボビンが第１方向の一方側から固定される部分であり、前記第１方向は、前記ボイスコイルの軸方向であり、
前記ダンパー部は、前記薄板の前記被固定部に対して内側の部分で構成されており、    前記振動部は、前記薄板の前記被固定部に対して外側の部分で構成されており、前記内側は、前記薄板の中心側であり、前記外側は、前記薄板の反中心側であり、
前記エッジ部は、前記薄板の前記振動部よりも前記外側の部分で構成されており且つ前記薄板の外周部を有しているスピーカー用振動体。
【請求項２】
請求項１記載のスピーカー用振動体において、
前記振動部及び前記エッジ部は、前記第１方向の他方側から見て略環状の第１湾曲部を有しており、前記第１湾曲部は、前記第１方向の断面視において前記第１方向の一方側又は前記第１方向の他方側に凸の一対の略円弧形状を有しているスピーカー用振動体。
【請求項３】
請求項１又は２記載のスピーカー用振動体において、
前記ダンパー部は、前記第１方向の他方側から見て略環状の第２湾曲部を有しており、前記第２湾曲部は、前記第１方向の断面視において前記第１方向の一方側又は前記第１方向の他方側に凸の一対の略円弧形状を有しているスピーカー用振動体。
【請求項４】
請求項３記載のスピーカー用振動体において、
前記第１湾曲部のばね定数と前記第２湾曲部のばね定数とが相違する一方で、前記第１湾曲部の振動系重量と前記第２湾曲部の振動系重量とが略一致しているスピーカー用振動体。
【請求項５】
請求項３又は４記載のスピーカー用振動体において、
前記第１湾曲部の前記一対の略円弧形状と前記第２湾曲部の前記一対の略円弧形状とは、前記第１方向において互いに逆向きに凸であるスピーカー用振動体。
【請求項６】
請求項２〜５の何れかに記載のスピーカー用振動体において、
前記第１湾曲部は、略環状の第１内周端、略環状の第１外周端及び略環状の第１頂部を有しており、前記第１頂部は、前記第１内周端と前記第１外周端との間で、前記第１内周端から前記第１外周端までの直線距離の第１中間地点に対して前記外側に位置しているスピーカー用振動体。
【請求項７】
請求項３〜５の何れかに記載のスピーカー用振動体において、
前記第２湾曲部は、略環状の第２内周端、略環状の第２外周端及び略環状の第２頂部を有しており、前記第２頂部は、前記第２内周端と前記第２外周端との間で、前記第２内周端から前記第２外周端までの直線距離の第２中間地点に対して前記内側に位置しているスピーカー用振動体。
【請求項８】
請求項３〜５の何れかに記載のスピーカー用振動体において、
前記第１湾曲部は、略環状の第１内周端、略環状の第１外周端及び略環状の第１頂部を有しており、前記第１頂部は、前記第１内周端と前記第１外周端との間で、前記第１内周端から前記第１外周端までの直線距離の第１中間地点に対して前記外側に位置しており、
前記第２湾曲部は、略環状の第２内周端、略環状の第２外周端及び略環状の第２頂部を有しており、前記第２頂部は、前記第２内周端と前記第２外周端との間で、前記第２内周端から前記第２外周端までの直線距離の第２中間地点に対して前記内側に位置しており、
前記第１内周端から前記第１外周端まで延びる第１仮想線と、前記第１頂点から前記第１方向に延びた第２仮想線とが交差する交点が第１交点であり、
前記第２内周端から前記第２外周端まで延びる第３仮想線と、前記第２頂点から前記第１方向に延びた第４仮想線とが交差する交点が第２交点であり、
前記第１内周端から前記第１交点までの直線距離を第１距離とし、前記第１交点から前記第１外周端までの直線距離を第２距離とし、前記第２内周端から前記第２交点までの直線距離を第３距離とし、前記第２交点から前記第２外周端までの直線距離を第４距離とした場合、
前記第１距離：前記第２距離≒前記第４距離：前記第３距離であるスピーカー用振動体。
【請求項９】
請求項８記載のスピーカー用振動体において、
前記第１距離：前記第２距離＝略５．５：４．５〜略８：２であり、前記第４距離：前記第３距離＝略５．５：４．５〜略８：２であるスピーカー用振動体。
【請求項１０】
請求項５、８又は９記載のスピーカー用振動体において、
前記第１湾曲部は、略環状の第１頂部と、前記第１頂部よりも内側の部分と、前記第１頂部よりも外側の部分とを有しており、前記第１湾曲部の前記内側の部分は、前記第１湾曲部の前記外側の部分よりも緩やかに湾曲しており、
前記第２湾曲部は、略環状の第２頂部と、前記第２頂部よりも内側の部分と、前記第２頂部よりも外側の部分とを有しており、前記第２湾曲部の前記外側の部分は、前記第２湾曲部の前記内側の部分よりも緩やかに湾曲しているスピーカー用振動体。    
【請求項１１】
請求項１〜１０の何れかに記載のスピーカー用振動体において、
前記振動体本体よりも高い硬度を有するドーム部を更に備えており、
前記被固定部は、前記第１方向の一方側の第１面と、前記第１方向の他方側の第２面とを有しており、
前記被固定部の前記第１面に前記コイルボビンが固定されており、
前記被固定部の前記第２面に前記ドーム部が固定されており且つ前記第１方向の他方側で前記ダンパー部を覆うスピーカー用振動体。
【請求項１２】
請求項１〜１１の何れかに記載のスピーカー用振動体と、
前記スピーカー用振動体の前記ボイスコイルが挿入された磁気ギャップを有する磁気回路と、
前記スピーカー用振動体の前記振動体本体の前記ダンパー部が固定されたダンパー台と、
前記スピーカー用振動体の前記振動体本体の前記エッジ部の前記外周部が固定されたフレームとを備えているスピーカー装置。
【発明の詳細な説明】
【技術分野】
【０００１】
本発明は、スピーカー用振動体及びスピーカー装置に関する。
【背景技術】
【０００２】
下記特許文献１には、従来のスピーカー用振動体が記載されている。この振動体は、コア材と、スキン材と、筒状のコイルボビンと、ボイスコイルとを備えている。コア材は、熱硬化性樹脂が含浸した線布であって、コア材の内周部であるダンパー部と、コア材の外周部であるエッジ部と、中間部とを有している。スキン材は、コア材の中間部の上下面に貼り付けられたアルミニウム箔などである。コイルボビンは、ダンパー部の外周端に固定されている。ボイスコイルは、コイルボビンに巻き回されている。
【先行技術文献】
【特許文献】
【０００３】
【特許文献１】特開昭５８−１１１４９９号公報
【発明の概要】
【発明が解決しようとする課題】
【０００４】
上記従来のスピーカー用振動体は、コア材にスキン材が貼り付けられた構成となっているため、部品点数が多い。
【０００５】
本発明は、部品点数を低減できるスピーカー用振動体及びスピーカー装置を提供する。
【課題を解決するための手段】
【０００６】
上記課題を解決するために、本発明の一態様のスピーカー用振動体は、コイルボビンと、コイルボビンに取り付けられたボイスコイルと、一枚の薄板で構成された振動体本体とを備えている。振動体本体は、被固定部、ダンパー部、エッジ部及び振動部を有している。被固定部は、薄板のコイルボビンが第１方向の一方側から固定される部分である。第１方向は、ボイスコイルの軸方向である。ダンパー部は、薄板の被固定部よりも内側の部分で構成されている。振動部は、薄板の被固定部よりも外側の部分で構成されている。内側は、薄板の中心側であり、外側は、薄板の反中心側である。エッジ部は、薄板の振動部よりも外側の部分で構成され且つ薄板の外周部を有している。
【０００７】
このような態様のスピーカー用振動体による場合、振動体本体の被固定部、ダンパー部、エッジ部及び振動部が一枚の薄板で構成されているので、部品点数の低減を図ることができる。
【０００８】
振動部及びエッジ部は、第１方向の他方側から見て略環状の第１湾曲部を有する構成、及び／又は、ダンパー部は、第１方向の他方側から見て略環状の第２湾曲部を有する構成とすることが可能である。第１湾曲部は、第１方向の断面視において第１方向の一方側又は第１方向の他方側に凸の一対の略円弧形状を有する構成とすることが可能である。第２湾曲部は、第１方向の断面視において第１方向の一方側又は第１方向の他方側に凸の一対の略円弧形状を有する構成とすることが可能である。
【０００９】
振動部及びエッジ部が第１湾曲部を有し、且つダンパー部が第２湾曲部を有する場合、第１湾曲部のばね定数と第２湾曲部のばね定数とが相違する一方で、第１湾曲部の振動系重量と第２湾曲部の振動系重量とが略一致していても良い。
【００１０】
このような態様のピーカー用振動体による場合、第１湾曲部のばね定数と第２湾曲部のばね定数とが相違しているが、第１湾曲部の振動系重量と第２湾曲部の振動系重量とが略一致しているので、スピーカー用振動体が振動するときに、第１湾曲部の共振周波数と第２湾曲部の共振周波数とが一致しない。このように第１湾曲部の共振周波数と第２湾曲部の共振周波数とが分散されているので、第１湾曲部及び第２湾曲部が一致した共振周波数で異常振動、つまり、スピーカー用振動体にローリング現象が発生する可能性が低減される。
【００１１】
振動部及びエッジ部が第１湾曲部を有し、且つダンパー部が第２湾曲部を有する場合、第１湾曲部の一対の略円弧形状と第２湾曲部の一対の略円弧形状とは、第１方向において互いに逆向きに凸とすることが可能である。
【００１２】
このような態様のピーカー用振動体は、第１方向に振動するとき、当該ピーカー用振動体の第１方向の一方側の振幅と当該ピーカー用振動体の第１方向の他方側の振幅との対称性が向上する。
【００１３】
第１湾曲部は、略環状の第１内周端、略環状の第１外周端及び略環状の第１頂部を有する構成とすることが可能である。第１頂部は、第１内周端と第１外周端との間で、第１内周端から第１外周端までの直線距離の第１中間地点に対して外側に位置した構成とすることが可能である。
【００１４】
第２湾曲部は、略環状の第２内周端、略環状の第２外周端及び略環状の第２頂部を有する構成とすることが可能である。第２頂部は、第２内周端と第２外周端との間で、第２内周端から第２外周端までの直線距離の第２中間地点に対して内側に位置した構成とすることが可能である。
【００１５】
第１湾曲部の一対の略円弧形状と第２湾曲部の一対の略円弧形状とが、第１方向において互いに逆向きに凸であり、第１湾曲部の第１頂部が第１中間地点に対して外側に位置し、且つ第２湾曲部の第２頂部が第２中間地点に対して内側に位置した構成とすることが可能である。
【００１６】
このような態様のスピーカー用振動体による場合、第１湾曲部の第１頂部が中間地点よりも外側に位置し且つ第２湾曲部の第２頂部が中間地点よりも内側に位置しているため、第１湾曲部の第１頂部よりも内側の部分の第１方向に直交する方向の寸法が大きくなり、第１湾曲部の第１頂部よりも外側の部分の第１方向に直交する方向の寸法が小さくなり、第２湾曲部の第２頂部よりも外側の部分の第１方向に直交する方向の寸法が大きくなり、第２湾曲部の第２頂部よりも内側の部分の第１方向に直交する方向の寸法が小さくなる。このため、第１湾曲部及び第２湾曲部は、以下の通り弾性変形する。
スピーカー用振動体の振動時において、第１湾曲部が凸である方向に振幅変位し、第２湾曲部が同方向に振幅変位すると、第１湾曲部の内側の部分が外側の部分よりも大きく弾性変形する一方で、第２湾曲部の内側の部分が外側の部分よりも大きく弾性変形する。このとき、第１湾曲部の内側の部分は、上記寸法が大きく、直線に近い形状に弾性変形するため、振動体本体の中心保持力が弱くなるが、第２湾曲部の内側の部分は、上記寸法が小さく、その湾曲が小さくなるように弾性変形するため、振動体本体の中心保持力が強くなる。このように振動体本体の中心保持力は、第１湾曲部の弾性変形によって低下するものの、第２湾曲部の弾性変形によって向上するため、振動体本体としての中心保持力の低下が抑制される。
スピーカー用振動体の振動時において、第２湾曲部が凸である方向に振幅変位し、第１湾曲部が同方向に振幅変位すると、第２湾曲部の外側の部分が内側の部分よりも大きく弾性変形する一方で、第１湾曲部の外側の部分が内側の部分よりも大きく弾性変形する。このとき、第２湾曲部の外側の部分は、上記寸法が大きく、直線に近い形状に弾性変形するため、振動体本体の中心保持力が弱くなるが、第１湾曲部の外側の部分は、上記寸法が小さく、その湾曲が小さくなるように弾性変形するため、振動体本体の中心保持力が強くなる。このように振動体本体の中心保持力は、第２湾曲部の弾性変形によって低下するものの、第１湾曲部の弾性変形によって向上するため、振動体本体としての中心保持力の低下が抑制される。
上記双方の場合において、振動体本体の中心保持力の低下が抑制されているので、振動時に、コイルボビン及びボイスコイルが第１方向（凸となる方向及びその反対方向）以外の方向に移動することが抑制され、その結果としてスピーカー用振動体にローリング現象が発生する可能性が低減される。
【００１７】
第１内周端から第１外周端まで延びる第１仮想線と、第１頂部から第１方向に延びた第２仮想線とが交差する交点が第１交点とすることが可能である。第２内周端から第２外周端まで延びる第３仮想線と、第２頂部から第１方向に延びた第４仮想線とが交差する交点が第２交点とすることが可能である。第１内周端から第１交点までの直線距離を第１距離とし、第１交点から第１外周端までの直線距離を第２距離とし、第２内周端から第２交点までの直線距離を第３距離とし、第２交点から第２外周端までの直線距離を第４距離とすることが可能である。この場合、第１距離：第２距離≒第４距離：第３距離とすることが可能である。
【００１８】
このような態様のスピーカー用振動体による場合、スピーカー用振動体の振動時において、コイルボビン及びボイスコイルをより第１方向に沿ってより往復移動させ易くなるため、スピーカー用振動体にローリング現象が発生する可能性が低減される。
【００１９】
なお、第１距離：第２距離＝略５．５：４．５〜略８：２とすることが可能である。第４距離：第３距離＝略５．５：４．５〜略８：２とすることが可能である。
【００２０】
第１湾曲部は、略環状の第１頂部と、第１頂部よりも内側の部分と、第１頂部よりも外側の部分とを有しており、第１湾曲部の内側の部分が、第１湾曲部の外側の部分よりも緩やかに湾曲した構成とすることが可能である。第２湾曲部は、略環状の第２頂部と、第２頂部よりも内側の部分と、第２頂部よりも外側の部分とを有しており、第２湾曲部の外側の部分が、第２湾曲部の内側の部分よりも緩やかに湾曲した構成とすることが可能である。
【００２１】
上記した何れかの態様のスピーカー用振動体は、振動体本体よりも高い硬度を有するドーム部を更に備えた構成とすることが可能である。被固定部は、ボイスコイルの軸方向である第１方向の一方側の第１面と、第１方向の他方側の第２面とを有する構成とすることが可能である。被固定部の第１面にコイルボビンが固定された構成とすることが可能である。被固定部の第２面にドーム部が固定されており且つ第１方向の他方側でダンパー部を覆う構成とすることが可能である。
【００２２】
このような態様のスピーカー用振動体による場合、ドーム部が振動体本体よりも高い硬度を有し、ドーム部の分割共振周波数が振動体本体の分割共振周波数よりも高くなるので、スピーカー用振動体が高音を出力し易くなる。
【００２３】
本発明の一態様のスピーカー装置は、上記した何れかの態様のスピーカー用振動体と、スピーカー用振動体のボイスコイルが挿入された磁気ギャップを有する磁気回路と、スピーカー用振動体の振動体本体のダンパー部が固定されたダンパー台と、スピーカー用振動体の振動体本体のエッジ部の外周部が固定されたフレームとを備えている。このような態様のスピーカー装置による場合、スピーカー用振動体にローリング現象が発生する可能性が低減される。なぜなら、スピーカー用振動体のダンパー部がダンパー台に固定され、且つスピーカー用振動体のエッジ部の外周部がフレームに固定されているからである。
【図面の簡単な説明】
【００２４】
【図１Ａ】本発明の実施例１に係るスピーカー装置の正面、平面及び右側面から表した斜視図である。
【図１Ｂ】前記スピーカー装置の背面、底面及び右側面から表した斜視図である。
【図２Ａ】前記スピーカー装置の図１Ａ中の２Ａ−２Ａ断面図である。
【図２Ｂ】前記スピーカー装置の図１Ａ中の２Ｂ−２Ｂ断面図である。
【図３Ａ】前記スピーカー装置の正面、平面及び右側面から表した分解斜視図である。
【図３Ｂ】前記スピーカー装置の背面、底面及び右側面から表した分解斜視図である。
【図４Ａ】前記スピーカー装置のスピーカー用振動体の図３Ａ中の４Ａ−４Ａ断面図である。
【図４Ｂ】前記スピーカー用振動体の図３Ａ中の４Ｂ−４Ｂ断面図である。
【図５】前記実施例１のスピーカー用振動体の第１設計変型例の図４Ａに対応する断面図である。
【発明を実施するための形態】
【００２５】
以下、本発明の複数の実施例について説明する。なお、後述する実施例及び設計変更例の各要素は、互いに矛盾しない限り、相互に組み合わせることが可能であることに留意されたい。
【実施例１】
【００２６】
以下、本発明の実施例１を含む複数の実施例に係るスピーカー装置Ｓ（以下、単にスピーカーＳとも称する。）ついて、図１Ａ〜図５を参照しつつ説明する。図１Ａ〜図４Ｂには、実施例１のスピーカーＳが示されている。図５には、実施例１のスピーカーＳの第１設計変型例が示されている。
なお、図３Ａ〜図４Ｂ及び図５には、特許請求の範囲の第１方向に相当するＺ−Ｚ’方向が示されている。Ｚ−Ｚ’方向は、特許請求の範囲の第１方向の一方に相当するＺ方向と、特許請求の範囲の第１方向の他方に相当するＺ’方向を含む。Ｚ方向は、スピーカーＳの音声放射方向に相当し、Ｚ’方向は、音声放射方向の反対方向に相当する。図３Ａ〜図３Ｂ、図４Ａ及び図５には、Ｘ−Ｘ’方向が、図３Ａ〜図３Ｂ及び図４Ｂには、Ｙ−Ｙ’方向が示されている。Ｘ−Ｘ’方向及びＹ−Ｙ’方向は、Ｚ−Ｚ’方向に略直交している。
【００２７】
スピーカーＳは、スピーカー用振動体１００（以下、単に振動体１００とも称する。）を備えている。振動体１００は、振動体本体１１０と、コイルボビン１２０と、ボイスコイル１３０とを備えている。
【００２８】
コイルボビン１２０は、略筒状（円筒状又は多角筒状）である。ボイスコイル１３０は、コイルボビン１２０の外周面に巻き回され、取り付けられている。なお、Ｚ−Ｚ’方向は、コイルボビン１２０の軸方向にも相当している。
【００２９】
振動体本体１１０は、金属箔、紙、織布、不織布、フィルムなどで構成された一枚の薄板で構成されている。フィルムは、例えば、ポリエチレン（ＰＥ）やポリプロピレン（ＰＰ）等のポリオレフィン系樹脂、ポリエチレンテレフタレート（ＰＥＴ）樹脂やポリエチレンナフタレート（ＰＥＮ）樹脂等のポリエステル系樹脂、ポリイミド（ＰＩ）、ポリエーテルケトン（ＰＥＫ）、ポリフェニレンサルファイド（ＰＰＳ）又はポリエーテルイミド（ＰＥＩ）等の合成樹脂で構成されている。
【００３０】
振動体本体１１０は、ダンパー部１１１、被固定部１１２、振動部１１３及びエッジ部１１４を有している。被固定部１１２は、一枚の薄板のコイルボビン１２０の形に対応した略環状（円環状又は多角環状）部であって、Ｚ’方向側の第１面及びＺ方向側の第２面を有している。被固定部１１２の第１面にコイルボビン１２０がＺ’方向側から接着剤や両面テープ等で固定されている。ダンパー部１１１は、Ｚ方向側から見て略環状（円環状又は多角環状）であって、一枚の薄板の被固定部１１２に対して内側の部分で構成されている。図１Ａ〜図４Ｂでは、ダンパー部１１１は、一枚の薄板の被固定部１１２より内側の内周部で構成されている。ダンパー部１１１は内周端を有する。振動部１１３は、一枚の薄板の被固定部１１２に対して外側の部分で構成されている。エッジ部１１４は、振動部１１３に連接されたフィックスドエッジであって、一枚の薄板の振動部１１３に対して外側の部分で構成されている。エッジ部１１４は、一枚の薄板の外周部１１４ａを有している。なお、本発明における「内側」は、一枚の薄板の中心側及び／又はコイルボビン１２０の軸側を意味し、「外側」は、一枚の薄板の反中心側及び／又はコイルボビン１２０の反軸側を意味するものとする。
【００３１】
振動部１１３及びエッジ部１１４は、Ｚ方向側から見て略環状（円環状又は多角環状）の第１湾曲部Ｒ１を有する構成とすることが可能である。第１湾曲部Ｒ１は、Ｚ方向側又はＺ’方向側に凸となるように湾曲している。第１湾曲部Ｒ１は、Ｚ−Ｚ’方向の断面視においてＺ方向側又はＺ’方向側に凸である一対の略円弧形状を有している。この一対の略円弧形状は、コイルボビン１２０の軸に対して対称に位置し且つ対称形状をなしていると良いが、これに限定されるものではない。
【００３２】
エッジ部１１４の外周部１１４ａは、第１湾曲部Ｒ１から半径方向に延びたフラットなリング状とすることが可能である。
【００３３】
ダンパー部１１１は、Ｚ方向側から見て略環状（円環状又は多角環状）の第２湾曲部Ｒ２を有する構成とすることが可能である。第２湾曲部Ｒ２は、Ｚ方向側又はＺ’方向側に凸となるように湾曲している。第２湾曲部Ｒ２は、Ｚ−Ｚ’方向の断面視においてＺ方向側又はＺ’方向側に凸の一対の略円弧形状を有している。この一対の略円弧形状は、コイルボビン１２０の軸に対して対称に位置し且つ対称形状をなしているが、これに限定されるものではない。
【００３４】
第２湾曲部Ｒ２の第２内周端Ｒ２１は、図１〜図４Ｂに示すようにダンパー部１１１の内周端であっても良いが、これに限定されるものではない。例えば、第２湾曲部Ｒ２の第２内周端Ｒ２１からダンパー部１１１の内周部が内側に延びた構成とすることも可能である。
【００３５】
第１湾曲部Ｒ１の一対の略円弧形状と、第２湾曲部Ｒ２の一対の略円弧形状とは、Ｚ−Ｚ’方向において互いに逆向きに凸であっても良い。図１〜図４Ｂにでは、第１湾曲部Ｒ１の一対の略円弧形状は、Ｚ方向側に凸であり、第２湾曲部Ｒ２の一対の略円弧形状は、Ｚ’方向に凸であるが、その逆でも良い。
【００３６】
第１湾曲部Ｒ１は、第１内周端Ｒ１１と、第１外周端Ｒ１２と、第１頂部Ｒ１３を有している。第１内周端Ｒ１１と第１外周端Ｒ１２とは、図１〜図４Ｂに示すようにＺ−Ｚ’方向において同じ高さに位置していても良いし、第１外周端Ｒ１２が第１内周端Ｒ１１に対してＺ方向側又はＺ’方向側に位置していても良い。第１頂部Ｒ１３は、第１内周端Ｒ１１と第１外周端Ｒ１２の間で、第１内周端Ｒ１１及び第１外周端Ｒ１２に対して、Ｚ方向側又はＺ’方向側に位置している。第１頂部Ｒ１３は、図４Ａ〜図４Ｂに最も良く示されるように、第１内周端Ｒ１１から第１外周端Ｒ１２までの直線距離の第１中間地点Ｐ１に対して外側に位置した構成とすることが可能である。この場合、第１湾曲部Ｒ１の第１頂部Ｒ１３よりも内側の部分が、第１湾曲部Ｒ１の第１頂部Ｒ１３よりも外側の部分よりも緩やかに湾曲している。以下、第１湾曲部Ｒ１の第１頂部Ｒ１３よりも内側の部分を、第１湾曲部Ｒ１の内側の部分と称し、第１湾曲部Ｒ１の第１頂部Ｒ１３よりも外側の部分を、第１湾曲部Ｒ１の内側の部分と称する。
【００３７】
第２湾曲部Ｒ２は、第２内周端Ｒ２１と、第２外周端Ｒ２２と、第２頂部Ｒ２３を有している。第２内周端Ｒ２１と第２外周端Ｒ２２とは、図１〜図４Ｂに示すようにＺ−Ｚ’方向において同じ高さに位置していても良いし、第２外周端Ｒ２２が第２内周端Ｒ２１に対してＺ方向側又はＺ’方向側に位置していても良い。第２頂部Ｒ２３は、第２内周端Ｒ２１と第２外周端Ｒ２２の間で、第２内周端Ｒ２１及び第２外周端Ｒ２２に対して、Ｚ方向側又はＺ’方向側に位置している。第２頂部Ｒ２３は、図４Ａ〜図４Ｂに最も良く示されるように、第２内周端Ｒ２１から第２外周端Ｒ２２までの直線距離の第２中間地点Ｐ２に対して内側に位置した構成とすることが可能である。この場合、第２湾曲部Ｒ２の第２頂部Ｒ２３よりも外側の部分が、第２湾曲部Ｒ２の第２頂部Ｒ２３よりも内側の部分よりも緩やかに湾曲している。以下、第２湾曲部Ｒ２の第２頂部Ｒ２３よりも内側の部分を、第２湾曲部Ｒ２の内側の部分と称し、第２湾曲部Ｒ２の第２頂部Ｒ２３よりも外側の部分を、第２湾曲部Ｒ２の外側の部分と称する。
【００３８】
ここで、第１内周端Ｒ１１から第１外周端Ｒ１２まで延びる第１仮想線と、第１頂部Ｒ１３からＺ−Ｚ’方向に延びた第２仮想線とが交差する交点が第１交点Ｏ１とし、第２内周端Ｒ２１から第２外周端Ｒ２２まで延びる第３仮想線と、第２頂部Ｒ２３からＺ−Ｚ’方向に延びた第４仮想線とが交差する交点が第２交点Ｏ２とする。
第１内周端Ｒ１１から第１交点Ｏ１までの直線距離を第１距離Ｄ１とし、第１交点Ｏ１から第１外周端Ｒ１２までの直線距離を第２距離Ｄ２とし、第２内周端Ｒ２１から第２交点Ｏ２までの直線距離を第３距離Ｄ３とし、第２交点Ｏ２から第２外周端Ｒ２２までの直線距離を第４距離Ｄ４とする。
【００３９】
第１頂部Ｒ１３が第１中間地点Ｐ１に対して外側に位置している場合、第１距離Ｄ１と第２距離Ｄ２との関係は、第１距離Ｄ１＞第２距離Ｄ２とすることが好ましく、第１距離Ｄ１：第２距離Ｄ２＝略５．５：４．５〜略８：２とすることがより好ましく、第１距離Ｄ１：第２距離Ｄ２＝略７：３とすることが更に好ましい。これらの何れの態様でも、第１湾曲部Ｒ１の内側の部分のＺ−Ｚ’方向に直交する方向の寸法が大きくなり、当該内側の部分の湾曲が緩やかになる一方で、第１湾曲部Ｒ１の外側の部分のＺ−Ｚ’方向に直交する方向の寸法が小さくなり、当該外側の部分の湾曲が急になる。
第２頂部Ｒ２３が第２中間地点Ｐ２に対して外側に位置している場合、第４距離Ｄ４と第３距離Ｄ３との関係は、第４距離Ｄ４＞第３距離Ｄ３とすることが好ましく、第４距離Ｄ４：第３距離Ｄ３＝略５．５：４．５〜略８：２とすることがより好ましく、第４距離Ｄ４：第３距離Ｄ３＝略７：３とすることが更に好ましい。これらの何れの態様でも、第２湾曲部Ｒ２の外側の部分のＺ−Ｚ’方向に直交する方向の寸法が大きくなり、当該外側の部分の湾曲が緩やかになる一方、第２湾曲部Ｒ２の内側の部分のＺ−Ｚ’方向に直交する方向の寸法が小さくなり、当該内側の部分の湾曲が急になる。
第１距離Ｄ１：第２距離Ｄ２≒第４距離Ｄ４：第３距離Ｄ３に設定しても良いが、これに限定されるものではない。なお、本発明において、第１距離Ｄ１：第２距離Ｄ２≒第４距離Ｄ４：第３距離Ｄ３は、第１距離Ｄ１：第２距離Ｄ２＝第４距離Ｄ４：第３距離Ｄ３を含むものとする。
【００４０】
上記した何れかの態様の第１湾曲部Ｒ１及び第２湾曲部Ｒ２には、コルゲーションが設けられていても良い。第１湾曲部Ｒ１にコルゲーションが設けられている場合、第１湾曲部Ｒ１の一対の略円弧形状には、コルゲーションの凹部及び／又は凸部が設けられている。第２湾曲部Ｒ２にコルゲーションが設けられている場合、第２湾曲部Ｒ２の一対の略円弧形状には、コルゲーションの凹部及び／又は凸部が設けられている。このように本発明における「略円弧形状」とは、円弧形状だけでなく、円弧形状にコルゲーションの凹部及び／又は凸部が形成されたものも含む。なお、図２Ａ、図２Ｂ、図４Ａ及び図４Ｂの第１湾曲部Ｒ１のＺ’方向側の面に表れるコルゲーション及び第２湾曲部Ｒ２のＺ方向側の面に表れるコルゲーションは、図示簡略化のため、図示省略されていることに留意されたい。
【００４１】
上記した何れかの態様の第１湾曲部Ｒ１のばね定数と、上記した何れかの態様の第２湾曲部Ｒ２のばね定数とが相違する一方で、上記した何れかの態様の第１湾曲部Ｒ１の振動系重量と、上記した何れかの態様の第２湾曲部Ｒ２の振動系重量とが略一致していると良い。例えば、第１湾曲部Ｒ１のＲ部分の全部又は一部の形状を、第２湾曲部Ｒ２の全部又は一部の形状を相違させることによって、両者の振動系重量を略一致させたまま、両者のばね定数を相違させることができる。
【００４２】
上記した何れかの態様の第１湾曲部Ｒ１の第１頂部Ｒ１３は、第１中間地点Ｐ１に対して外側に位置しておらず、第１中間地点Ｐ１に対してＺ方向側又はＺ’方向側に配置された構成とすることも可能である。この場合も、第１湾曲部Ｒ１の内側の部分が、第１湾曲部Ｒ１の外側の部分よりも緩やかに湾曲した構成とすることが可能であるが、これに限定されない。上記した何れかの態様の第２湾曲部Ｒ２の第２頂部Ｒ２３は、第２中間地点Ｐ２に対して外側に位置しておらず、第２中間地点Ｐ２に対してＺ方向側又はＺ’方向側に配置された構成とすることも可能である。この場合も、第２湾曲部Ｒ２の外側の部分が、第２湾曲部Ｒ２の内側の部分よりも緩やかに湾曲した構成とすることが可能であるが、これに限定されない。
【００４３】
上記した何れかの態様の第１湾曲部Ｒ１の一対の略円弧形状と、上記した何れかの態様の第２湾曲部Ｒ２の一対の略円弧形状とは、Ｚ−Ｚ’方向において同じ方向に凸であっても良い。第１湾曲部Ｒ１の一対の略円弧形状及び第２湾曲部Ｒ２の一対の略円弧形状は、図５に示すようにＺ方向に凸であっても良いし、Ｚ’方向に凸であっても良い。
【００４４】
なお、上記した何れかの態様の第１湾曲部Ｒ１及び／又は第２湾曲部Ｒ２は省略可能である。第１湾曲部Ｒ１が省略される場合、振動部１１３及びエッジ部１１４は、被固定部１１２から外側に延びたフラットな形状とすることが可能である。第２湾曲部Ｒ２が省略される場合、被固定部１１２から内側に延びたフラットな形状とすることが可能である。
【００４５】
振動体１００は、Ｚ方向側に凸のドーム状のドーム部１４０を更に備えていても良い。ドーム部１４０は、振動体本体１１０と同様の素材で構成可能である。ドーム部１４０の硬度は、振動体本体１１０の硬度よりも高い。例えば、ドーム部１４０の厚みを、振動体本体１１０の厚みよりも大きくすることによって、ドーム部１４０の硬度は、振動体本体１１０の硬度よりも高くすることが可能であり、ドーム部１４０の厚みを７５μｍとし、振動体本体１１０の厚みを３０μｍとすることが可能である。なお、ドーム部１４０の厚みは、振動体本体１１０の厚みと同じ又は薄くすることも可能である。
【００４６】
ドーム部１４０は、外周部を有している。ドーム部１４０の外周部が上記した何れかの態様の振動体本体１１０の被固定部１１２の第２面に接着剤や両面テープ等で固定され且つＺ方向側で当該振動体本体１１０のダンパー部１１１を覆っている。なお、ダンパー部１１１がＺ−Ｚ’方向の断面視においてＺ方向側凸の一対の略円弧形状を有する第２湾曲部Ｒ２を有している場合、ドーム部１４０の高さは第２湾曲部Ｒ２に干渉しない高さとすると良い（図５参照）。
【００４７】
スピーカーＳは、磁気回路２００を更に備えている。磁気回路２００は、磁気ギャップＧを有している。磁気回路２００は、図２Ａ及び図２Ｂに最もよく示すように、永久磁石２１０、ヨーク２２０（継鉄）及びポールピース２３０を有している。
ヨーク２２０は、有底の略筒（円筒状又は多角筒）であって、底部と、この底部の外周端からＺ−Ｚ’方向に立ち上がった略筒状（円筒状又は多角筒状）の側壁とを有する構成とすることが可能である。この場合、永久磁石２１０は、ヨーク２２０の底部上に配置されている。ポールピース２３０は、永久磁石２１０上に載置され且つヨーク２２０内に配置されている。永久磁石２１０及びポールピース２３０とヨーク２２０の側壁との間、又はポールピース２３０とヨーク２２０の側壁との間に、略筒状（円筒状又は多角筒状）の磁気ギャップＧが形成されている。
又は、ヨーク２２０が、底部と、この底部の中央部からＺ方向に延びたセンターポールとを有する構成とすることが可能である。この場合、略筒状（円筒状又は多角筒状）の永久磁石２１０及びポールピース２３０が、センターポールの周りに同心状に配置されている。永久磁石２１０及びポールピース２３０とヨーク２２０のセンターポールとの間、又はポールピース２３０とヨーク２２０のセンターポールとの間に、略筒状（円筒状又は多角筒状）の磁気ギャップＧが形成されている。
何れの場合も、磁気回路２００の磁気ギャップＧ内に上記した何れかの態様の振動体１００のコイルボビン１２０及びボイスコイル１３０がＺ方向側から挿入されている。ボイスコイル１３０に音声電流が供給されると、当該音声電流と磁気ギャップＧの磁束との相互作用によってボイスコイル１３０が電磁力を受ける。すなわち、当該電磁力がボイスコイル１３０に対してＺ−Ｚ’方向の駆動力が作用し、これにより振動体１００をＺ−Ｚ’方向に振動させるようになっている。この振動体１００のＺ−Ｚ’方向の振動によって、振動体本体１１０のＺ方向（音声放射方向）に振幅変位と、振動体本体１１０のＺ’方向（音声放射方向の反対方向）に振幅変位と繰り返す。
【００４８】
スピーカーＳは、フレーム３００を更に備えている。フレーム３００は、合成樹脂などで構成されている。フレーム３００には、Ｚ方向に開口した収容凹部３１０が設けられている。この収容凹部３１０に、上記した何れかの態様の振動体１００が収容されている。収容凹部３１０の底部には、略筒状（円筒状又は多角筒状）の支持部３１１がＺ方向に延びている。支持部３１１に、上記した何れかの態様の振動体１００のエッジ部１１４の外周部１１４ａが固定されている。
【００４９】
収容凹部３１０の底部の中央部には、収容凹部３１０に連通する収容孔３２０が設けられている。この収容孔３２０内に磁気回路２００が収容保持されている。この収容孔３２０内の磁気回路２００の磁気ギャップＧ内に、上記した何れかの態様の振動体１００のコイルボビン１２０及びボイスコイル１３０が配置されている。なお、図１Ａ〜図４Ｂでは、収容孔３２０は、収容凹部３１０の底部の中央部をＺ−Ｚ’方向に貫通する貫通孔であるが、Ｚ方向に開口した有底孔とすることが可能である。
【００５０】
フレーム３００は、外部接続用の一対の端子５００を保持する構成とすることが可能である。この場合、一対の端子５００には、振動体１００のボイスコイル１３０から引き出された一対のリード線が接続されていると良い。一対の端子５００は、省略可能である。この場合、一対のリード線を外部接続部として使用すれば良い。
【００５１】
スピーカーＳは、ダンパー台４００を更に備えている。ダンパー台４００は、合成樹脂などで構成された円柱又は多角柱である。ダンパー台４００は、磁気回路２００のポールピース２３０又はセンターポールと別体であって、磁気回路２００のポールピース２３０又はセンターポール上に固定されていても良いし、磁気回路２００のポールピース２３０又はセンターポールと一体形状であっても良い。何れの場合も、ダンパー台４００は、上記した何れかの態様のダンパー部１１１の内周端に固定され、当該ダンパー部１１１を支持している。
【００５２】
スピーカーＳは、図示しないバッフルを更に備えていても良い。バッフルは、Ｚ方向側から収容凹部３１０を覆うようにフレーム３００に取り付けられている。この場合、バッフルとフレーム３００の支持部３１１との間で、上記した何れかの態様の振動体１００のエッジ部１１４の外周部１１４ａが挟持される構成とすることが可能である。なお、バッフルは省略可能である。
【００５３】
上記した何れかの態様のスピーカーＳ及び振動体１００は、以下の技術的特徴及び効果を奏する。
第１に、振動体１００の振動体本体１１０のダンパー部１１１、被固定部１１２、振動部１１３及びエッジ部１１４が上記一枚の薄板で構成されているので、スピーカーＳ及び振動体１００の部品点数の低減を図ることができる。
【００５４】
第２に、振動体１００が振動するとき、振動体１００が、ボイスコイル１３０の駆動方向であるＺ−Ｚ’方向に対して略垂直な方向又は斜め方向に振動するローリング現象が振動体１００に発生する可能性が低減される。その理由は以下の通りである。
（１）振動体１００のダンパー部１１１がダンパー台４００に固定され、且つ振動体１００のエッジ部１１４の外周部１１４ａがフレーム３００に固定されている。換言すると、振動体１００は、ダンパー部１１１及びエッジ部１１４の二箇所で固定されているため、振動体１００にローリング現象が発生する可能性が低減される。
（２）また、第１湾曲部Ｒ１のばね定数と第２湾曲部Ｒ２のばね定数とが相違している一方で、第１湾曲部Ｒ１の振動系重量と第２湾曲部Ｒ２の振動系重量とが略一致している場合、振動体１００が振動するときに、第１湾曲部Ｒ１の共振周波数と第２湾曲部Ｒ２の共振周波数とが一致しない。このように第１湾曲部Ｒ１の共振周波数と第２湾曲部Ｒ２の共振周波数とが分散されているので、第１湾曲部Ｒ１及び第２湾曲部Ｒ２が一致した共振周波数で異常振動、つまり、振動体１００にローリング現象が発生する可能性が低減される。
（３）更に、第１湾曲部Ｒ１の一対の略円弧形状がＺ方向（音声放射方向）に凸であり、第２湾曲部Ｒ２の一対の略円弧形状がＺ’方向（音声放射方向の反対方向）に凸であり、第１湾曲部Ｒ１の第１頂部Ｒ１３が第１中間地点Ｐ１に対して外側に位置し、且つ第２湾曲部Ｒ２の第２頂部Ｒ２３が第２中間地点Ｐ２に対して内側に位置した構成である場合、第１湾曲部Ｒ１及び第２湾曲部Ｒ２は以下の通り弾性変形する。
振動体本体１１０がＺ方向に振幅変位した場合、第１湾曲部Ｒ１がＺ方向（凸である方向）に振幅変位し、第２湾曲部Ｒ２が同方向に振幅変位する。このとき、第１湾曲部Ｒ１の内側の部分が外側に部分に比べて大きく弾性変形する一方で、第２湾曲部Ｒ２の内側の部分が外側に部分に比べて大きく弾性変形する。より具体的には、第１湾曲部Ｒ１の内側の部分は、そのＺ−Ｚ’方向に直交する方向の寸法が大きい及び／又は緩やかに湾曲しており、直線に近い形状に弾性変形するため、振動体本体１１０の中心保持力が弱くなるが、第２湾曲部Ｒ２の内側の部分は、そのＺ−Ｚ’方向に直交する方向の寸法が小さい及び／又は急に湾曲しており、その湾曲が小さくなるように弾性変形するため、振動体本体１１０の中心保持力が強くなる。このように振動体本体１１０の中心保持力は、第１湾曲部Ｒ１の弾性変形によって低下するものの、第２湾曲部Ｒ２の弾性変形によって向上するため、振動体本体１１０としての中心保持力の低下が抑制される。
振動体本体１１０がＺ’方向に振幅変位した場合、第２湾曲部Ｒ２がＺ’方向（凸である方向）に振幅変位し、第１湾曲部Ｒ１が同方向に振幅変位する。このとき、第２湾曲部Ｒ２の外側の部分が内側の部分よりも大きく弾性変形する一方で、第１湾曲部Ｒ１の外側の部分が内側の部分よりも大きく弾性変形する。より具体的には、第２湾曲部Ｒ２の外側の部分は、そのＺ−Ｚ’方向に直交する方向の寸法が大きい及び／又は緩やかに湾曲しており、直線に近い形状に弾性変形するため、振動体本体１１０の中心保持力が弱くなるが、第１湾曲部Ｒ１の外側の部分は、そのＺ−Ｚ’方向に直交する方向の寸法が小さい及び／又は急に湾曲しており、その湾曲が小さくなるように弾性変形するため、振動体本体１１０の中心保持力が強くなる。このように振動体本体１１０の中心保持力は、第１湾曲部Ｒ１の弾性変形によって低下するものの、第２湾曲部Ｒ２の弾性変形によって向上するため、振動体本体１１０としての中心保持力の低下が抑制される。
振動体本体１１０がＺ方向及びＺ’方向に振幅変位する双方の場合において、振動体本体１１０の中心保持力の低下が抑制されているので、コイルボビン１２０及びボイスコイル１３０がＺ−Ｚ’方向（コイルボビン１２０及びボイスコイル１３０の中心軸方向）以外の方向に移動することが抑制され、その結果としてスピーカー用振動体１００にローリング現象が発生する可能性が低減される。
なお、第１湾曲部Ｒ１の一対の略円弧形状がＺ’方向に凸であり、第２湾曲部Ｒ２の一対の略円弧形状がＺ方向に凸であり、第１湾曲部Ｒ１の第１頂部Ｒ１３が第１中間地点Ｐ１に対して外側に位置し、且つ第２湾曲部Ｒ２の第２頂部Ｒ２３が第２中間地点Ｐ２に対して内側に位置した構成である場合も、上記と同様に、スピーカー用振動体１００にローリング現象が発生する可能性が低減される。
（４）第１湾曲部Ｒ１の一対の略円弧形状と、第２湾曲部Ｒ２の一対の略円弧形状とは、Ｚ−Ｚ’方向において同じ方向に凸であり、第１湾曲部Ｒ１の第１頂部Ｒ１３が第１中間地点Ｐ１に対して外側に位置し、且つ第２湾曲部Ｒ２の第２頂部Ｒ２３が第２中間地点Ｐ２に対して内側に位置した構成である場合、第１湾曲部Ｒ１の共振周波数と第２湾曲部Ｒ２の共振周波数は異なるため、振動体１００にローリング現象が発生する可能性が低減される。
【００５５】
第３に、振動部１１３及びエッジ部１１４が第１湾曲部Ｒ１を有し、且つダンパー部１１１が第２湾曲部Ｒ２を有し、第１湾曲部Ｒ１の一対の略円弧形状と第２湾曲部Ｒ２の一対の略円弧形状とは、第１方向において互いに逆向きに凸である場合、振動体１００が振動するとき、当該振動体１００のＺ方向側の振幅と当該振動体１００のＺ’方向側の振幅との対称性が向上する。なぜなら、第１湾曲部Ｒ１及び第２湾曲部Ｒ２は、その凸である方向に動き易く、その反対方向に動き難いため、第１湾曲部Ｒ１の一対の略円弧形状と第２湾曲部Ｒ２の一対の略円弧形状とは、第１方向において互いに逆向きに凸とすることによって、振動体１００のＺ方向側の振幅とＺ’方向側の振幅との対称性を向上させることができる。
【００５６】
第４に、振動体１００がドーム部１４０を有する場合、ドーム部１４０が振動体本体１１０よりも高い硬度を有し、ドーム部１４０の分割共振周波数が振動体本体１１０の分割共振周波数よりも高くなるので、振動体１００が高音を出力し易くなる。
【００５７】
第５に、スピーカーＳのＺ−Ｚ’方向の寸法の低減を図ることができる。振動体１００のダンパー部１１１が、コイルボビン１２０内でダンパー部１１１に固定されているからである。換言すると、コイルボビン１２０内のデッドスペースが、ダンパー部１１１の固定領域として利用されているからである。
【００５８】
なお、上記したスピーカー用振動体及びスピーカー装置は、上記実施例に限定されるものではなく、特許請求の範囲の記載範囲において任意に設計変更することが可能である。
【００５９】
上記実施例の各態様及び設計変形例におけるスピーカー用振動体及びスピーカー装置の各構成要素を構成する素材、形状、寸法、数及び配置等はその一例を説明したものであって、同様の機能を実現し得る限り任意に設計変更することが可能である。
【符号の説明】
【００６０】
Ｓ：スピーカー装置
１００：スピーカー用振動体
１１０：振動体本体
１１１：ダンパー部
１１２：被固定部
１１３：振動部
１１４：エッジ部
１１４ａ：外周部
Ｒ１：第１湾曲部
Ｒ１１：第１内周端
Ｒ１２：第１外周端
Ｒ１３：第１頂部
Ｒ２：第２湾曲部
Ｒ２１：第２内周端
Ｒ２２：第２外周端
Ｒ２３：第２頂部
１２０：コイルボビン
１３０：ボイスコイル
１４０：ドーム部
２００：磁気回路
２１０：永久磁石
２２０：ヨーク
２３０：ポールピース
Ｇ：磁気ギャップ
３００：フレーム
３１０：収容凹部
３１１：支持部
３２０：収容孔
４００：ダンパー台
５００：端子
【図１Ａ】
2020141319.tif 000003
【図１Ｂ】
2020141319.tif 000004
【図２Ａ】
2020141319.tif 000005
【図２Ｂ】
2020141319.tif 000006
【図３Ａ】
2020141319.tif 000007
【図３Ｂ】
2020141319.tif 000008
【図４Ａ】
2020141319.tif 000009
【図４Ｂ】
2020141319.tif 000010
【図５】
2020141319.tif 000011